(57)【特許請求の範囲】
【請求項１】
筐体内に、少なくともポンプ、前記ポンプを駆動するモータ及び流量計が収納されている第１の部品収納室と、少なくとも前記モータの電源回路を含む制御回路及び表示装置が収納されている第２の部品収納室とを備え、前記モータと前記制御回路とが接続用電気ケーブルによって接続されている計量機であって、
前記ポンプは水に浸かっても内部に水が入らない防水構造と防爆構造を有しており、
前記流量計は防水構造と防爆構造を有しており、
前記モータは防爆構造を有しているが防水構造は有しておらず、しかも工具を使用せずに取り外しが可能な取付構造を用いて前記第１の部品収納室内に固定されており、
前記接続用電気ケーブルは、前記モータから延びる第１の電気ケーブルと前記第２の部品収納室から出て前記第１の部品収納室内に延びる第２の電気ケーブルと、前記第１の部品収納室内に配置されて前記第１の電気ケーブルと前記第２の電気ケーブルとを接続する防水構造及び防爆構造を有するコネクタとからなり、
前記第２の部品収納室は防水構造を有しており、
前記筐体は、販売時点情報管理装置が収納された防水構造を有しない第３の収納室を更に備え、
前記コネクタは、前記第１の電気ケーブルに接続された第１のコネクタ部材と、前記第２の電気ケーブルに接続された第２のコネクタ部材とからなり、
前記第１のコネクタ部材と前記第２のコネクタ部材とは、工具を使用せずに接続及び分離が可能な構造を有し、
前記ポンプの上にはモータ固定台が固定されており、
前記モータは前記モータ固定台に取り付けられた前記取付構造を用いて固定されており、
前記取付構造は、前記モータ固定台に固定されたベルト取付部と、前記モータを間に介して前記ベルト取付部と対向する位置に前記モータ固定台に固定されたアジャスト・ファスナ取付部と、該アジャスト・ファスナ取付部に取り付けられたアジャスト・ファスナ本体と、前記ベルト取付部に一端が取り付けられ、他端にアジャスト・ファスナ用フックが取り付けられて前記モータを前記モータ固定台に向かって押し付けるベルトとから構成されており、
前記ポンプは、内部に空気分離装置で分離された空気を溜めるサンプ室を有しており、
前記サンプ室の空気を外部に放出する空気放出路には、前記ポンプが水に浸かったときに、前記サンプ室に水が入ることを阻止するフロート・バルブが設けられており、
前記フロート・バルブは、前記モータ固定台に固定され、
前記第２の部品収納室の防水構造は、前記第２の部品収納室に引き込まれる信号線及び動力線を介して前記第２の部品収納室内に水が入ることを阻止するために、防水コネクタを備えていることを特徴とする計量機。
【請求項２】
筐体内に、少なくともポンプ、前記ポンプを駆動するモータ及び流量計が収納されている第１の部品収納室と、少なくとも前記モータの電源回路を含む制御回路及び表示装置が収納されている第２の部品収納室とを備え、前記モータと前記制御回路とが接続用電気ケーブルによって接続されている計量機であって、
前記ポンプは水に浸かっても内部に水が入らない防水構造と防爆構造を有しており、
前記流量計は防水構造と防爆構造を有しており、
前記モータは防爆構造を有しているが防水構造は有しておらず、しかも工具を使用せずに取り外しが可能な取付構造を用いて前記第１の部品収納室内に固定されており、
前記接続用電気ケーブルは、前記モータから延びる第１の電気ケーブルと前記第２の部品収納室から出て前記第１の部品収納室内に延びる第２の電気ケーブルと、前記第１の部品収納室内に配置されて前記第１の電気ケーブルと前記第２の電気ケーブルとを接続する防水構造及び防爆構造を有するコネクタとからなり、
前記第２の部品収納室は防水構造を有していることを特徴とする計量機。
【請求項３】
前記筐体は、販売時点情報管理装置が収納された防水構造を有しない第３の収納室を更に備えている請求項２に記載の計量機。
【請求項４】
前記コネクタは、前記第１の電気ケーブルに接続された第１のコネクタ部材と、前記第２の電気ケーブルに接続された第２のコネクタ部材とからなり、
前記第１のコネクタ部材と前記第２のコネクタ部材とは、工具を使用せずに接続及び分離が可能な構造を有している請求項２または３に記載の計量機。
【請求項５】
前記ポンプの上にはモータ固定台が固定されており、
前記モータは前記モータ固定台に取り付けられた前記取付構造を用いて固定されている請求項２または３に記載の計量機。
【請求項６】
前記ポンプの上にはモータ固定台が固定されており、
前記モータは前記モータ固定台に取り付けられた前記取付構造を用いて固定されており、
前記第２のコネクタ部材は、前記第１のコネクタ部材が上側に位置する姿勢で前記モータ固定台に固定されている請求項４に記載の計量機。
【請求項７】
前記取付構造は、
前記モータ固定台に固定されたベルト取付部と、前記モータを間に介して前記ベルト取付部と対向する位置に前記モータ固定台に固定されたアジャスト・ファスナ取付部と、該アジャスト・ファスナ取付部に取り付けられたアジャスト・ファスナ本体と、前記ベルト取付部に一端が取り付けられ、他端にアジャスト・ファスナ用フックが取り付けられて前記モータを前記モータ固定台に向かって押し付けるベルトとから構成されている請求項５に記載の計量機。
【請求項８】
前記アジャスト・ファスナ本体は、前記アジャスト・ファスナ用フックと係合するフック係合部と、手動でセット操作されると前記フック係合部を介して前記アジャスト・ファスナ用フックに引っ張り力を与え、手動で解除操作されると前記フック係合部と前記アジャスト・ファスナ用フックとの係合を解除する操作機構とを備えている請求項７に記載の計量機。
【請求項９】
前記取付構造は、
前記モータの取付用ベースに設けられた係合部と、
前記モータ固定台に設けられて前記モータの係合部と係合する被係合部とを更に備えており、
前記係合部と前記被係合部とは、前記モータを前記ポンプに近づけるときに係合状態となり、前記モータを前記ポンプから離すときに非係合状態になる係合構造を有している請求項５に記載の計量機。
【請求項１０】
前記係合部は複数の穴及び複数のピンの一方からなり、前記被係合部は前記複数の穴及び前記複数のピンの他方からなる請求項９に記載の計量機。
【請求項１１】
前記ポンプは、内部に空気分離装置で分離された空気を溜めるサンプ室を有しており、
前記サンプ室の空気を外部に放出する空気放出路には、前記ポンプが水に浸かったときに、前記サンプ室に水が入ることを阻止するフロート・バルブが設けられている請求項２乃至１０のいずれか１項に記載の計量機。
【請求項１２】
前記フロート・バルブは、前記モータ固定台に固定されている請求項１１に記載の計量機。
【請求項１３】
前記第２の部品収納室の防水構造は、前記第２の部品収納室に引き込まれる信号線及び動力線を介して前記第２の部品収納室内に水が入ることを阻止するために、防水コネクタを備えている請求項２乃至１２のいずれか１項に記載の計量機。
【請求項１４】
前記取付構造は、
前記モータの取付用ベースに設けられた複数の貫通穴と、
前記モータ固定台に設けられて前記複数の貫通穴を貫通する複数のネジ付きピンと、
前記複数の貫通穴に挿入されて前記複数の貫通穴から突出する前記複数のネジ付きピンのネジ部に螺合されて手作業で回すことができる複数の手回しナット部材とからなる請求項２に記載の計量機。
【発明の詳細な説明】
【技術分野】
【０００１】
本発明は、大雨、洪水、津波などの災害で計量機が浸水して壊れてしまった場合でも、水が引いた後に特別な工具を用いずとも容易に復旧できる計量機に関するものである。
【背景技術】
【０００２】
下記文献１及び２のように、不意の停電などに備えた計量機は存在するものの、浸水後の迅速な復旧に対応した計量機は存在しない。
【先行技術文献】
【特許文献】
【０００３】
【特許文献１】特開２００７−２６１５８９号公報
【特許文献２】特開２００７−２６１２８９号公報
【発明の概要】
【発明が解決しようとする課題】
【０００４】
ガソリンステーション等で使用されている従来の計量機は、大雨、洪水、津波などの災害で浸水した場合を想定して設計されていない。そのため浸水後に復旧させるためには、水に浸かって使用不能になった制御回路、表示器、モータなどの電気系統の部品を全て交換しなければならない。しかしながらモータなどの配線は計量機の筐体内部で複雑に引き回されているため、すべての電気系統の部品を交換することは容易ではない。
【０００５】
すべての使用部品を防水構造とすることも考えられるが、計量機の価格が著しく高くなって、現実的ではない。
【０００６】
また、ポンプのサンプ室は大気と連通しているため、浸水の際にポンプ内に水が浸入するので、水抜きの作業も必要となる。
【０００７】
本発明の目的は、計量機の価格を著しく高くすることなく、浸水復旧を容易にした計量機を提供することにある。
【０００８】
上記目的に加えて、本発明の他の目的は、簡単な構造でモータの交換を容易にした計量機を提供することにある。
【０００９】
さらに本発明の他の目的は、簡単な構造でポンプを防水構造にした計量機を提供することにある。
【課題を解決するための手段】
【００１０】
本発明が改良の対象とする計量機は、筐体内に、少なくともポンプ、ポンプを駆動するモータ及び流量計が収納されている第１の部品収納室と、少なくともモータの電源回路を含む制御回路及び表示装置が収納されている第２の部品収納室とを備えている。モータと制御回路とは、接続用電気ケーブルによって接続されている。本発明で用いるポンプは、水に浸かっても内部に水が入らない防水構造と防爆構造を有している。また流量計も防水構造と防爆構造を有している。モータは、防爆構造を有しているが防水構造は有していない。本発明では、モータを、工具を使用せずに取り外しが可能な取付構造を用いて第１の部品収納室内に固定する。そして本発明では、接続用電気ケーブルを、モータから延びる第１の電気ケーブルと第２の部品収納室から出て第１の部品収納室内に延びる第２の電気ケーブルと、第１の部品収納室内に配置されて第１の電気ケーブルと第２の電気ケーブルとを接続する防水構造及び防爆構造を有するコネクタとから構成する。また制御回路及び表示装置が収納された第２の部品収納室は防水構造を有している。
【００１１】
モータを防水構造にするためには、複雑な構造が必要になる上、モータの価格が非常に高くなる。そこで本発明では、浸水が発生した場合、モータが使用不能になっても、計量機の設置場所に予備のモータを予め準備しておけば、専門家でなくても、簡単にモータを交換できるようにし、その他の電気部品を交換しなくても、計量機を動作可能にできるようにするために上記構成を採用した。本発明の計量機では、コネクタを用いてモータから延びる第１の電気ケーブルを第２の電気ケーブルと接続しているので、コネクタの接続を解除すれば、工具を使用しなくても、モータと一緒に第１の電気ケーブルを簡単に取り外すことができる。したがってコネクタで接続可能な第１の電気ケーブルが接続された予備のモータを予め準備しておけば、専門家でなくても、その場でモータと一緒に第１の電気ケーブルを交換することにより、計量機を動作可能な状態に復旧できる。なお、この予備のモータにはドライブプーリが予め取り付けられているのが好ましい。
【００１２】
本発明は、筐体に販売時点情報管理装置（ＰＯＳ）が収納された第３の収納室が設けられる場合において、第３の収納室を防水構造を有しない構造とすることを許容する。販売時点情報管理装置（ＰＯＳ）は、計量機の売り上げ管理に使用するものであって、計量機の運転動作には本来的に必要なものではない。そこで販売時点情報管理装置（ＰＯＳ）が収納される第３の収納室を防水構造を有しない構造とすれば、浸水に早期に復旧対応できる計量機の価格上昇を抑えることができる。
【００１３】
コネクタは、第１の電気ケーブルに接続された第１のコネクタ部材と、第２の電気ケーブルに接続された第２のコネクタ部材とからなる。そして第１のコネクタ部材と第２のコネクタ部材とは、工具を使用せずに接続及び分離が可能な構造を有しているものを用いることが好ましい。
【００１４】
モータの配置場所は任意であるが、筐体内のスペースを有効利用することを考えるとポンプの上にモータを配置するのが好ましい。この場合には、ポンプの上にモータ固定台を固定し、モータはモータ固定台に取り付けられた前述の取付構造を用いて固定すればよい。このようにするとモータがポンプの上にあるため、交換作業が容易である上、交換作業の際に取付構造が落下したり紛失したりすることを防止できる。
【００１５】
なお前述のコネクタの第２のコネクタ部材を、第１のコネクタ部材が上側に位置する姿勢でモータ固定台に固定すれば、第１のコネクタ部材の接続及び分離作業を楽な姿勢で行える上、モータの交換作業中に第２のコネクタが落下して破損することを防止できる。
【００１６】
取付構造は、工具を用いることなくモータを交換できるものであれば、どのような構造でもよい。例えば、取付構造をモータ固定台に固定されたベルト取付部と、モータを間に介してベルト取付部と対向する位置にモータ固定台に固定されたアジャスト・ファスナ取付部と、該アジャスト・ファスナ取付部に取り付けられたアジャスト・ファスナ本体と、ベルト取付部に一端が取り付けられ、他端にアジャスト・ファスナ用フックが取り付けられてモータをモータ固定台に向かって押し付けるベルトとから構成することができる。このような構造の取付構造であれば、モータを押さえ付ける位置にベルトを配置し、アジャスト・ファスナ用フックをアジャスト・ファスナ本体に係止させてアジャスト・ファスナ本体を操作することにより、簡単にモータを取り付けることができる。またモータを取り外す際には、アジャスト・ファスナ本体を操作することにより簡単にモータを外すことができる。この取付構造では、構成部品がモータ固定台から落下することがないので、専門家以外の者が作業する場合でも、取付構造の構成部品が交換作業中に紛失してしまうことを防止できる。
【００１７】
アジャスト・ファスナ本体としては、アジャスト・ファスナ用フックと係合するフック係合部と、手動でセット操作されるとフック係合部を介してアジャスト・ファスナ用フックに引っ張り力を与え、手動で解除操作されるとフック係合部とアジャスト・ファスナ用フックとの係合を解除する操作機構とを備えたものを用いることができる。
【００１８】
ベルトだけでモータを固定した場合、モータとモータ固定台とが並ぶ方向へのモータの動きは規制できるものの、この方向と直交する直交方向への動きを規制することができない。そのため外部から加わる振動で、モータが直交方向へ移動する可能性がある。そこで取付構造は、モータの取付用ベースに設けられた係合部と、モータ固定台に設けられてモータの係合部と係合する被係合部とを更に備えているのが好ましい。この係合部と被係合部とは、モータをポンプに近づけるときに係合状態となり、モータをポンプから離すときに非係合状態になる係合構造を有しているのが好ましい。このような係合構造を有する係合部と被係合部とを取付構造に付加すると、外部からどの方向の振動が加わっても、モータが移動することを簡単な構造で阻止することができる。なお係合部を複数の穴及び複数のピンの一方から構成し、被係合部を複数の穴及び複数のピンの他方から構成すると、非常に簡単な構造で、取付構造を構成することができる。
【００１９】
またモータの取付構造を、モータの取付用ベースに設けられた複数の貫通穴と、モータ固定台に設けられて複数の貫通穴を貫通する複数のネジ付きピンと、複数の貫通穴に挿入されて複数の貫通穴から突出する複数のネジ付きピンのネジ部に螺合されて手作業で回すことができる複数の手回しナット部材とから構成することができる。このような構造の取付構造を用いると、手回しナット部材を回す作業をするだけで、モータの取り外しと、モータの取付とを行うことができる。
【００２０】
ポンプが、内部に空気分離装置で分離された空気を溜めるサンプ室を有している場合には、サンプ室の空気を外部に放出する空気放出路に、ポンプが水に浸かったときに、サンプ室に水が入ることを阻止するフロート・バルブを設けるのが好ましい。このようにすると既存のポンプをフロート・バルブを追加するだけで簡単な構造で防水構造にすることができる。したがって費用をかけずに、ポンプの防水化を図ることができる。
【００２１】
なおフロート・バルブは、モータ固定台に固定するのが好ましい。このような構造にすると、フロート・バルブの設置が容易になる上、浸水した場合にフロート・バルブが水で浮動して破損することを防止できる。
【００２２】
第２の部品収納室の防水構造は、第２の部品収納室に引き込まれる信号線及び動力線を介して第２の部品収納室内に水が入ることを阻止するために、防水コネクタを備えているのが好ましい。このような構造であれば、第２の部品収納室を防水構造にしても、組み立ての際のケーブルの接続が容易になる。
【００２３】
モータからポンプに動力を伝える動力伝達機構の構成は任意であるが、モータの出力軸にドライブプーリを固定し、ポンプの入力軸に被ドライブプーリを固定し、ドライブプーリと被ドライブプールとをベルトにより連結する動力伝達機構を用いることができる。このような動力伝達機構を設ければ、予め出力軸にドライブプーリを取り付けたモータを用意しておけば、手作業でベルトの掛け替えを行うだけで、動力伝達機構を復旧することができる。
【図面の簡単な説明】
【００２４】
【図１】（Ａ）乃至（Ｄ）は、本発明をガソリン等の給油機の計量機に適用した実施の形態の正面図、側面図、正面下側パネルを外して筐体の一部を透明なものとして示した正面図及び背面下側パネルを外して筐体の一部を透明なものとして示した背面図である。
【図２】（Ａ）乃至（Ｃ）は、ポンプの上にモータが装着された状態の側面図、正面図及び背面図である。
【図３】フロート・バルブの構造を示す断面図である。
【図４】（Ａ）及び（Ｂ）は、第２の部品収納室の防水構造を説明するために用いる図である。
【発明を実施するための形態】
【００２５】
以下、図面を参照して、本発明の実施の形態の一例を詳細に説明する。図１（Ａ）乃至（Ｄ）は、本発明をガソリン等の給油機の計量機１に適用した実施の形態の正面図、側面図、正面下側パネルを外して筐体の一部を透明なものとして示した正面図及び背面下側パネルを外して筐体の一部を透明なものとして示した背面図である。この計量機１は、図１（Ａ）及び（Ｂ）に示すように、筐体３の正面側と背面側の下側パネル５にそれぞれ３つのノズル掛け７を有しており、またノズル掛け７に装着された３つのノズル９にはそれぞれ３本のホース１１が接続されている。ホース１１は、筐体の天板部３Ａに設けられたホース接続部１３に接続されている。
【００２６】
図１（Ｃ）及び（Ｄ）に示すように、筐体３の天板部３Ａ及び一対の側壁部３Ｂ及び３Ｃ内には、ホース接続部１３に一端が繋がる６本の供給管１５が、３本ずつ分けて収納されている。正面側の３つのホース接続部１３に接続された３本の供給管１５の他端は、筐体３の下側領域に形成された第１の部品収納室１７内に導入されている。また背面側の３つのホース接続部１３に接続された３本の供給管１５の他端も、筐体３の下側領域に形成された第１の部品収納室１７内に導入されている。なお図１（Ｃ）及び（Ｄ）には、ホース１１は図示を省略してある。
【００２７】
第１の部品収納室１７には、正面側及び背面側に配置されて対向する２つのノズル９に対して１台ずつ設けられる３台のポンプ１９と、３台のポンプ１９をそれぞれ駆動する３台のモータ２１と、６台の流量計２３等が配置されている。１台のポンプ１９に対して２台の流量計２３が設けられている。２台の流量計２３は、それぞれ正面側及び背面側に配置されて対向する２つのノズル９につながる２本の供給管１５に吐き出される燃料の量をそれぞれ計量する。ポンプ１９とモータ２１との配置関係については後に詳しく説明する。ポンプ１９は、後述するフロート・バルブを設けることにより水に浸かっても内部に水が入らない防水構造になっており、また防爆構造を有している。また流量計２３も防水構造と防爆構造を有している。しかしモータ２１は、防爆構造を有しているが防水構造は有していない。
【００２８】
本実施の形態では、モータ２１からポンプ１９に動力を伝える動力伝達機構を、モータの出力軸に取付けられたドライブプーリ２２と、ポンプ１９の入力軸に取付けられた被ドライブプーリ２０と、ドライブプーリ２２と被ドライブプール２０とを連結するベルト２４とから構成している。このような動力伝達機構を設ければ、予め出力軸にドライブプーリ２２を取り付けたモータ２１を用意しておけば、手作業でベルト２４の掛け替えを行うだけで、動力伝達機構を復旧することができる。
【００２９】
第１の部品収納室１７の上には、べーパバリア機能を有する隔壁部２５が配置され、隔壁部２５の上には、図示しないモータの電源回路を含む制御回路及び表示部２７と表示部駆動回路を含む表示装置２９が収納されている第２の部品収納室３１と、販売時点情報管理装置ＰＯＳが収納された第３の収納室３３とを備えている。本実施の形態では、後に詳しく説明するように第２の部品収納室３１は防水構造を有しているが、第３の部品収納室３３は特に防水構造を有していない。
【００３０】
図１（Ｄ）に示すように、第２の部品収納室３１内に収納された制御回路と３台のモータ２１は、それぞれ接続用電気ケーブル３５によって接続されている。図１（Ｄ）においては、簡略的に接続用電気ケーブル３５を図示しているが、３台のモータ２１には３本の接続用電気ケーブル３５を介して電力が供給される。接続用電気ケーブル３５は、モータ２１から延びる第１の電気ケーブル３５Ａ［図２（Ａ）及び（Ｃ）］と第２の部品収納室３１から出て第１の部品収納室１７内に延びる第２の電気ケーブル３５Ｂと、第１の部品収納室１７内に配置されて第１の電気ケーブル３５Ａと第２の電気ケーブル３５Ｂとを接続する防水構造及び防爆構造を有するコネクタ３７とから構成する。
【００３１】
図２（Ａ）乃至（Ｃ）は、ポンプ１９の上にモータ２１が装着された状態の側面図、正面図及び背面図を示している。図２（Ａ）及び（Ｃ）に示すように、コネクタ３７は、第１の電気ケーブル３５Ａに接続された第１のコネクタ部材３７Ａと、第２の電気ケーブル３５Ｂに接続された第２のコネクタ部材３７Ｂとから構成される。第２のコネクタ部材３７Ｂの結合側端部の外周には、雄ネジ部が形成されている。また第１のコネクタ部材３７Ａの結合側端部には回転可能に締め付け用リング部材３７Ｃが嵌合されている。リング部材３７Ｃの内周には、第２のコネクタ部材３７Ｂの雄ネジ部に螺合される雌ネジ部が形成されている。第１のコネクタ部材３７Ａを第２のコネクタ部材３７Ｂに結合させた後、リング部材３７Ｃを回して締め付けることにより、第１のコネクタ部材３７Ａと第２のコネクタ部材３７Ｂとの間に防水防爆構造が構成される。
【００３２】
なお図２（Ａ）及び（Ｃ）においては、第１の電気ケーブル３５Ａは一部図示を省略してある。第１のコネクタ部材３７Ａと第２のコネクタ部材３７Ｂとは、差し込み動作と引き抜き動作だけで、工具を使用せずに接続及び分離が可能な構造を有している。本実施の形態では、コネクタ３７の第２のコネクタ部材３７Ｂは、第１のコネクタ部材３７Ａが上側に位置する姿勢でモータ固定台３９に固定されている。このようにすれば、第１のコネクタ部材３７Ａの接続及び分離作業を楽な姿勢で行える上、モータ２１の交換作業中に第２のコネクタ部材３７Ｂが落下して破損することを防止できる。
【００３３】
図２（Ａ）乃至（Ｃ）に示すように、モータ２１は、工具を使用せずに取り外しが可能な取付構造４１を用いて第１の部品収納室１７内に固定されている。モータ２１の配置場所は任意であるが、本実施の形態では、ポンプ１９の上にモータ固定台３９を固定し、モータ２１はモータ固定台３９に取り付けられた取付構造４１を用いて、モータ固定台３９に固定されている。このようにするとモータ２１がポンプ１９の上にあるため、モータの交換作業が容易である上、交換作業の際に取付構造が落下したり紛失したりすることを防止できる。
【００３４】
取付構造４１は、工具を用いることなくモータ２１を交換できるものであれば、どのような構造でもよい。そこで本実施の形態では、取付構造４１の一部をモータ固定台３９に固定されたベルト取付部４３［図２（Ａ）］と、モータ２１を間に介してベルト取付部４３と対向する位置にモータ固定台３９に固定されたアジャスト・ファスナ取付部４５と、アジャスト・ファスナ取付部４５に取り付けられたアジャスト・ファスナ本体４７と、ベルト取付部４３に一端が取り付けられ、他端にアジャスト・ファスナ用フック４９が取り付けられてモータ２１をモータ固定台３９に向かって押し付けるベルト５１とから構成している。本実施の形態では、アジャスト・ファスナ本体４７としては、アジャスト・ファスナ用フック４９と係合するフック係合部４７Ａと、手動でセット操作されるとフック係合部４７Ａを介してアジャスト・ファスナ用フック４９に引っ張り力を与え、手動で解除操作されると引っ張り力の付与を解除する操作レバー４７Ｂを含む操作機構とを備えている。操作レバー４７Ｂを上に上げるとフック係合部４７Ａがフリーになってロック解除状態となり、操作レバー４７Ｂを下に下げるとフック係合部４７Ａが引きつけられてロック状態となる。このような構造の取付構造４１であれば、モータ２１を押さえ付ける位置にベルト５１を配置し、アジャスト・ファスナ用フック４９をアジャスト・ファスナ本体４７のフック係合部４７Ａに係止させて操作レバー４７Ｂを下に下げる操作することにより、簡単にモータ２１をモータ固定台３９に取り付けることができる。またモータ２１を取り外す際には、アジャスト・ファスナ本体４７の操作レバー４７Ｂを上に上げる操作をすることにより簡単にモータ２１をモータ固定台３９外すことができる。この取付構造４１では、構成部品がモータ固定台３９から落下することがないので、専門家以外の者が作業する場合でも、取付構造４１の構成部品が交換作業中に紛失してしまうことを防止できる。
【００３５】
ベルト５１だけでモータ２１を固定した場合、モータ２１とモータ固定台３９とが並ぶ方向（上下方向）へのモータ２１の動きは規制できる。しかし、上下方向と直交する直交方向（水平方向）へのモータ２１の動きを規制することができない。そのため外部から加わる振動で、モータ２１が直交方向（水平方向）へ移動する可能性がある。そこで本実施の形態では、取付構造４１は、モータ２１の取付用ベース２１Ａに設けられた係合部としての図示しない複数の嵌合穴（本実施の形態では貫通孔）と、モータ固定台３９に設けられてモータ２１の係合部としての図示しない複数の嵌合穴と係合する被係合部としての複数のピン５３［図２（Ｂ）及び（Ｃ）］を更に備えている。図示していないが、本実施の形態はピン５３は４本設けられており、モータ２１の取付用ベース２１Ａには４つの嵌合孔が形成されている。この係合部（図示しない複数の嵌合穴）と被係合部（ピン５３）とは、モータ２１をポンプ１９に向かって上から近づけるときに係合状態となり、モータ２１を上に向かって挙げてポンプ１９から離すときに非係合状態になる係合構造を構成している。このような係合構造を有する係合部（図示しない複数の嵌合穴）と被係合部（ピン５３）とを取付構造４１に付加すると、外部からどの方向の振動が加わっても、モータ２１が移動することを簡単な構造で阻止することができる。なお係合部をピンから構成し、被係合部を穴から構成してもよい。
【００３６】
本実施の形態では、アジャスト・ファスナ（４７，４９）及びベルト５１と、複数のピン５３及び複数の嵌合穴とにより取付構造を構成している。しかし取付構造はこの構成に限定されるものではなく、アジャスト・ファスナ（４７，４９）及びベルト５１を用いずに、モータ２１の取付用ベース２１Ａに設けた複数の嵌合穴を複数の貫通穴により構成し、さらにモータ固定台３９に設けた複数のピン５３を複数のネジ付きピンにより構成し、複数の貫通穴から突出した複数のネジ付きピンのネジ部に手作業で回すことができる複数の手回しナット部材を螺合させる構造により取付構造を構成してもよいのは勿論である。
【００３７】
本実施の形態では、ポンプ１９が、内部に空気分離装置で分離された空気を溜めるサンプ室５５［図２（Ａ）］を有している。そこでサンプ室５５の空気を外部に放出する空気放出路に、ポンプが水に浸かったときに、サンプ室５５に水が入ることを阻止するために、フロート・バルブ５７を設けている。フロート・バルブ５７の内部構造は、図３に示す通りであり、ケース５９の内部のバルブ収納室６１に弁体６３を備えたフロート６５を備えている。バルブ収納室６１内に下から水が浸入すると、フロート６５が上に移動して弁体６３が弁座６７と密着し、空気放出路が閉じられる。水が浸入していないときには、フロート６５が重力で下に移動する。ストッパ６９はフロートと接触した状態では空気放出路を閉じないように構造が定められている。フロート・バルブ５７の一方のポート７１は、パイプ７５を介してサンプ室５５の吐き出し口に接続されている。フロート・バルブ５７の他方のポート７３は、下に向かって延びるパイプ７７に接続されている。このような構造を採用すると、既存のポンプ１９にフロート・バルブ５７を追加するだけで簡単な構造で防水構造にすることができる。したがって費用をかけずに、ポンプの防水化を図ることができる。本実施の形態では、フロート・バルブ５７は、モータ固定台３９に固定される。したがってフロート・バルブ５７の設置が容易になる上、浸水した場合にフロート・バルブ５７が水で浮動して破損することを防止できる。
【００３８】
第２の部品収納室３１の防水構造は、図４に示すように、正面及び背面（背面は正面と同様の取付構造のため図示せず）が開口したハウジング７９の開口部を蓋部材８１で密閉した構造を有している。蓋部材８１には、表示部２７を覆うアクリル製の透明板８３が接着材料を間に介して液密に固定されている。蓋部材８１とハウジング７９との間にはオーリング８５が配置されている。蓋部材８１の前方にはカバー部材８４が固定されている。カバー部材８４には、透明板８３に対向する位置に、アクリル製の透明窓部材８６が配置されている。透明板８３と透明窓部材８６との間には、透明窓部材８６を通してカバー部材８４の内部を覗くことができないようにする目隠し用の枠体８８が配置されている。また信号線及び動力線Ｌは、ハウジング７９に固定された防水コネクタ８７を介して第２の部品収納室３１に引き込まれている。このような構造であれば、第２の部品収納室３１を防水構造にしても、組み立ての際におけるケーブルの接続が容易になる。
【００３９】
販売時点情報管理装置ＰＯＳが収納される第３の収納室３３は、防水構造を有しない。したがって計量機が浸水すると、販売時点情報管理装置ＰＯＳは交換が必要になる。しかし販売時点情報管理装置ＰＯＳは、計量機１の売り上げ管理に使用するものであって、計量機１の運転動作には本来的に必要なものではない。したがって販売時点情報管理装置ＰＯＳについては早急に交換する必要がない。そこで本実施の形態では、第３の収納室３３を防水構造を有しない構造として、浸水に早期に復旧対応できる計量機の価格上昇を抑えている。
【００４０】
本実施の形態によれば、コネクタ３７を用いてモータ２１から延びる第１の電気ケーブル３５Ａを第２の電気ケーブル３５Ｂと接続しているので、コネクタ３７の接続を解除すれば、工具を使用しなくても、モータ２１と一緒に第１の電気ケーブル３５Ａを簡単に取り外すことができる。したがって第１の電気ケーブル３５Ａと第１のコネクタ部材３７Ａが接続されたモータ２１にドライブプーリ２２を取り付け、計量機の設置場所に予め用意しておけば、専門家でなくても、その場でモータと一緒に第１の電気ケーブル及び第１のコネクタ部材を交換することにより、計量機を動作可能な状態に復旧できる。
【産業上の利用可能性】
【００４１】
本発明によれば、モータを、工具を使用せずに取り外しが可能な取付構造を用いて第１の部品収納室内に固定しており、また接続用電気ケーブルを、モータから延びる第１の電気ケーブルと第２の部品収納室から出て第１の部品収納室内に延びる第２の電気ケーブルと、第１の部品収納室内に配置されて第１の電気ケーブルと第２の電気ケーブルとを接続する防水構造及び防爆構造を有するコネクタとから構成し、更に制御回路及び表示装置が収納された第２の部品収納室を防水構造としているので、コネクタで接続可能な第１の電気ケーブルが接続されたモータにドライブプーリを取り付け、計量機の設置場所に予め用意しておけば、専門家でなくても、工具を用いることなく、その場でモータと一緒に第１の電気ケーブルを交換することにより、計量機を動作可能な状態に復旧できる。
【符号の説明】
【００４２】
１  計量機
３  筐体
３Ａ  天板部
３Ｂ，３Ｃ  側壁部
５  下側パネル
７  ノズル掛け
９  ノズル
１１  ホース
１３  ホース接続部
１５  供給管
１７  第１の部品収納室
１９  ポンプ
２０  被ドライブプーリ
２１  モータ
２１Ａ  取付用ベース
２２  ドライブプーリ
２３  流量計
２４  ベルト
２５  隔壁部
２７  表示部
２９  表示装置
３１  第２の部品収納室
３３  第３の部品収納室
３５  接続用電気ケーブル
３５Ａ  第１の電気ケーブル
３５Ｂ  第２の電気ケーブル
３７  コネクタ
３７Ａ  第１のコネクタ部材
３７Ｂ  第２のコネクタ部材
３７Ｃ  リング部材
３９  モータ固定台
４１  取付構造
４３  ベルト取付部
４５  アジャスト・ファスナ取付部
４７  アジャスト・ファスナ本体
４７Ａ  フック係合部
４７Ｂ  操作レバー
４９  アジャスト・ファスナ用フック
５１  ベルト
５３  ピン
５５  サンプ室
５７  フロート・バルブ
５９  ケース
６１  バルブ収納室
６３  弁体
６５  フロート
６７  弁座
６９  ストッパ
７１  ポート
７３  ポート
７５  パイプ
７７  パイプ
７９  ハウジング
８１  蓋部材
８３  透明板
８４  カバー部材
８５  オーリング
８６  透明窓部材
８７  防水コネクタ
８８  枠体
ＰＯＳ  販売時点情報管理装置
【図１】
0005643243.tif 000002
【図２】
0005643243.tif 000003
【図３】
0005643243.tif 000004
【図４】
0005643243.tif 000005